【手続補正書】
【提出日】平成18年11月2日(2006.11.2)
【手続補正１】
【補正対象書類名】明細書
【補正対象項目名】特許請求の範囲
【補正方法】変更
【補正の内容】
【特許請求の範囲】
【請求項１】
端末に割り付けられた無線チャネルを介してその端末から到来した信号を受信する受信手段と、
前記端末のダイバシチハンドオーバの過程でその端末との間に前記無線チャネルを維持すべき特定の無線基地局を識別する識別手段と、
前記特定の無線基地局に自局が該当しないときに網に前記信号を引き渡す網インタフェース手段と、
前記特定の無線基地局に自局が該当するときに、前記信号と、その自局によって形成される無線ゾーンに隣接する無線ゾーンを形成する無線基地局に、前記端末から前記無線チャネルを介して到来し、これらの無線基地局によって転送された信号との合成波をこの網に引き渡す局間インタフェース手段と
を備えたことを特徴とする無線基地局装置。
【請求項２】
端末に割り付けられた無線チャネルを介してその端末から到来した信号を受信する受信手段と、
前記端末のダイバシチハンドオーバの過程でその端末との間に前記無線チャネルを維持すべき特定の無線基地局を識別する識別手段と、
前記特定の無線基地局に自局が該当しないときに前記信号を網に引き渡す網インタフェース手段と、
前記特定の無線基地局に自局が該当しないときに、その自局によって形成される無線ゾーンに隣接する無線ゾーンを形成する無線基地局の内、前記特定の無線基地局にこの信号を転送する局間インタフェース手段と
を備えたことを特徴とする無線基地局装置。
【請求項３】
網からその網の物理層において引き渡された信号を取り込む網インタフェース手段と、
前記信号の受信端である端末に割り付けられた無線チャネルをその端末のダイバシチハンドオーバの過程で維持すべき特定の無線基地局を識別する識別手段と、
前記無線チャネルを介して前記端末宛に前記信号を送信する送信手段と、
前記特定の無線基地局に自局が該当するときに、その自局によって形成される無線ゾーンに隣接する無線ゾーンを形成する無線基地局宛に前記信号を転送する局間インタフェース手段と
を備えたことを特徴とする無線基地局装置。
【請求項４】
自局によって形成された無線ゾーンに隣接する無線ゾーンを形成する無線基地局によって転送され、かつ宛先が端末である信号を取り込む局間インタフェース手段と、
前記端末に割り付けられた無線チャネルをその端末のダイバシチハンドオーバの過程で維持すべき特定の無線基地局を識別する識別手段と、
前記特定の無線基地局に自局が該当しないときに、前記無線チャネルを介して前記端末宛に前記信号を送信する送信手段と
を備えたことを特徴とする無線基地局装置。
【請求項５】
端末が位置し得る無線ゾーンを形成する無線基地局と連係し、その端末にかかわるチャネル制御を行うチャネル制御手段と、
前記チャネル制御の下で、前記無線基地局の全てまたは一部を介して前記端末との間に通信路が形成されるべき網とのインタフェースをとる網インタフェース手段とを備え、
前記チャネル制御手段は、
前記無線基地局の内、前記無線ゾーンの構成、チャネル配置、周波数配置の全てまたは一部と前記チャネル制御との下で、前記端末に割り付けられた無線チャネルをその端末のダイバシチハンドオーバの過程で維持すべき特定の無線基地局を特定する
ことを特徴とする基地局制御装置。
【請求項６】
データの受信のための識別情報が割り当てられた無線端末が、第１の無線基地局から第２の無線基地局の配下に移動する際には、該識別情報の更新をせず、該識別情報を用いて該第２の無線基地局からデータの送信を行い、
該無線端末が第３の無線基地局の配下に移動する際には、該識別情報の更新をして、更新された識別情報を用いて該第３の無線基地局からデータの送信を行う、
ことを特徴とする無線通信方法。
【請求項７】
前記識別情報は、ＩＰアドレスである
ことを特徴とする請求項６に記載の無線通信方法。
【請求項８】
前記更新された識別情報は、更新前の識別情報と異なる
ことを特徴とする請求項６に記載の無線通信方法。
【請求項９】
前記第１の無線基地局から送信される第1データと、前記第２の無線基地局から送信される第２データは同じ内容であり、該無線端末は、該第１データ、該第２データをダイバシチ受信する
ことを特徴とする請求項６に記載の無線通信方法。
【請求項１０】
無線端末との間で無線通信を行う無線システムにおいて、
第１の無線基地局において、データの受信のための識別情報が割り当てられた無線端末が配下に移動してきた場合に、該識別情報の更新をせず、該識別情報を用いてデータの送信を行う第２の無線基地局と、
該無線端末が配下に移動してきた場合に、該識別情報を更新して、更新された識別情報を用いてデータの送信を行う第３の無線基地局と、
を備えたことを特徴とする無線システム。
【請求項１１】
無線基地局との間で無線通信を行う無線端末において、
データの受信のための識別情報が第１の無線基地局により割り当てられた後に、第２の無線基地局の配下に移動した場合に、該識別情報の更新をせず、該識別情報を用いてデータ受信を行い、第３の無線基地局の配下に移動した場合に、該識別情報を更新して、更新された識別情報を用いてデータの受信を行う受信部、
を備えたことを特徴とする無線端末。
【手続補正２】
【補正対象書類名】明細書
【補正対象項目名】００４０
【補正方法】変更
【補正の内容】
【００４０】
したがって、多様な移動通信系の構成に対する柔軟な適応に併せて、ダイバシチハンドオーバの形態の適正化が図られる。
請求項６に記載の無線通信方法に係る発明では、データの受信のための識別情報が割り当てられた無線端末が、第１の無線基地局から第２の無線基地局の配下に移動する際には、該識別情報の更新をせず、該識別情報を用いて該第２の無線基地局からデータの送信を行い、該無線端末が第３の無線基地局の配下に移動する際には、該識別情報の更新をして、更新された識別情報を用いて該第３の無線基地局からデータの送信を行うことを特徴とする。
特に、請求項７に記載の発明では、前記識別情報は、ＩＰアドレスであることを特徴とする。
また、請求項８に記載の発明では、前記更新された識別情報は、更新前の識別情報と異なることを特徴とする。
さらに、請求項９に記載の発明では、前記第１の無線基地局から送信される第1データと、前記第２の無線基地局から送信される第２データは同じ内容であり、該無線端末は、該第１データ、該第２データをダイバシチ受信することを特徴とする。
また、請求項１０に記載の無線システムに係る発明は、無線端末との間で無線通信を行う無線システムにおいて、第１の無線基地局において、データの受信のための識別情報が割り当てられた無線端末が配下に移動してきた場合に、該識別情報の更新をせず、該識別情報を用いてデータの送信を行う第２の無線基地局と、該無線端末が配下に移動してきた場合に、該識別情報を更新して、更新された識別情報を用いてデータの送信を行う第３の無線基地局とを備えたことを特徴とする。
また、請求項１１に記載の無線端末に係る発明は、無線基地局との間で無線通信を行う無線端末において、データの受信のための識別情報が第１の無線基地局により割り当てられた後に、第２の無線基地局の配下に移動した場合に、該識別情報の更新をせず、該識別情報を用いてデータ受信を行い、第３の無線基地局の配下に移動した場合に、該識別情報を更新して、更新された識別情報を用いてデータの受信を行う受信部を備えたことを特徴とする。